(57)【特許請求の範囲】
【請求項１】
開口を含む第１長手方向端部と、第２長手方向端部とを有する筐体と、
前記筐体の内周に亘って配置されるモータ固定子と、
前記筐体内に位置し、前記筐体と相対的に回転可能に搭載される回転シャフトであり、前記筐体の前記第１長手方向端部の前記開口と連通する空洞を画定する回転シャフトと、
前記回転シャフトが軸周りに搭載されると共に、前記開口と前記空洞に挿通される固定軸と、
前記回転シャフトに固定され、前記モータ固定子と同軸上に配置されるモータ回転子と、
前記筐体と相対的に回転可能に前記固定軸周りに搭載され、前記筐体の前記第１長手方向端部から延出するランプカバーブラケットと、
前記筐体内に位置し、前記回転シャフトと前記ランプカバーブラケットとを前記固定軸の軸方向に離間して配置するように接続するギアを含む減速伝動システムと
を備える回転型ランプホルダ。
【請求項２】
第１電極および第２電極を有し、前記筐体の前記第１長手方向端部または前記第２長手方向端部に固定して搭載される電流ピックアップベースをさらに備える、請求項１に記載の回転型ランプホルダ。
【請求項３】
前記筐体の前記第２長手方向端部も開口を含み、
前記回転シャフトの前記空洞は前記筐体の前記第２長手方向端部の前記開口とも連通する、請求項２に記載の回転型ランプホルダ。
【請求項４】
前記固定軸は、前記筐体に固定されるリード線ポストであり、前記筐体の前記第１長手方向端部の前記開口および前記第２長手方向端部の前記開口と連通するリード線チャンバーを画定する、請求項３に記載の回転型ランプホルダ。
【請求項５】
前記ランプカバーブラケットは前記リード線ポスト周りを回転可能に搭載される、請求項４に記載の回転型ランプホルダ。
【請求項６】
前記リード線ポストは、前記筐体の前記第１長手方向端部の前記開口および前記第２長手方向端部の前記開口からそれぞれ延出する第１端部および第２端部を有する、請求項４に記載の回転型ランプホルダ。
【請求項７】
前記リード線ポストの前記第１端部に搭載される光源受容ソケットをさらに備える、請求項６に記載の回転型ランプホルダ。
【請求項８】
前記リード線ポストの前記第２端部に搭載される光源受容ソケットをさらに備える、請求項６に記載の回転型ランプホルダ。
【請求項９】
前記リード線ポストの前記リード線チャンバーが前記筐体の内部空間と連通するよう、前記リード線ポストに径方向貫通孔が設けられる、請求項４に記載の回転型ランプホルダ。
【請求項１０】
前記減速伝動システムは、前記ギアとして、
前記回転シャフトに固定される出力ギアと、
前記ランプカバーブラケットに固定される被動ギアと、
前記出力ギアおよび前記被動ギアと係合する中間減速ギア列と
を有する、請求項１または２に記載の回転型ランプホルダ。
【請求項１１】
前記減速伝動システムは、
前記ランプカバーブラケットに固定される遊星ギアキャリアを有すると共に、
前記ギアとして、
前記回転シャフトに固定される出力ギアと、
前記筐体の内壁に固定される遊星ギア列内部ギアと、
前記遊星ギアキャリアに搭載され、前記出力ギアおよび前記遊星ギア列内部ギアと係合される遊星ギアと
を有する、請求項１または２に記載の回転型ランプホルダ。
【請求項１２】
第１リード線と、
第２リード線と
をさらに備え、
前記光源受容ソケットは、第１電極および第２電極を有し、
前記第１リード線は、前記電流ピックアップベースの前記第１電極と、前記光源受容ソケットの前記第１電極とに接続され、
前記第２リード線は、前記電流ピックアップベースの前記第２電極と、前記光源受容ソケットの前記第２電極とに接続される、請求項７または８に記載の回転型ランプホルダ。
【請求項１３】
前記電流ピックアップベースは、スクリュー型またはバヨネット型の構造を有する、請求項１２に記載の回転型ランプホルダ。
【請求項１４】
前記ランプカバーを着脱可能に保持する締結手段が前記ランプカバーブラケットに設けられる、請求項１または２に記載の回転型ランプホルダ。
【請求項１５】
前記筐体および前記リード線ポストの少なくともいずれか一方が円筒状である、請求項４に記載の回転型ランプホルダ。
【請求項１６】
前記光源受容ソケットおよび前記ランプカバーブラケットの少なくともいずれか一方が標準化された部品である、請求項７または８に記載の回転型ランプホルダ。
【請求項１７】
請求項１から１６のいずれか１項に記載の回転型ランプホルダと、
前記ランプカバーブラケットに搭載されるランプカバーと
を備える、回転型ランプ。
【請求項１８】
ペンダントランプ、卓上ランプ、または天井ランプである、請求項１７に記載の回転型ランプ。
【請求項１９】
前記ランプカバーが、球体、六面体の立体フォトフレーム、または広告用ランプケースの形態である、請求項１７に記載の回転型ランプ。
【請求項２０】
請求項１から１６のいずれか１項に記載の回転型ランプホルダと、
前記ランプカバーブラケットに搭載される球体の形態のランプカバーと
を備える回転型発光球体。
【請求項２１】
請求項１から１６のいずれか１項に記載の回転型ランプホルダと、
前記ランプカバーブラケットに搭載される六面体の立体フォトフレームの形態のランプカバーと
を備える回転型発光六面体立体フォトフレーム。
【請求項２２】
請求項１から１６のいずれか１項に記載の回転型ランプホルダと、
前記ランプカバーブラケットに搭載される広告用ランプケースの形態のランプカバーと
を備える回転型広告ランプケース。
【請求項２３】
開口を含む第１長手方向端部と、第２長手方向端部とを有する筐体と、
前記筐体の内周に亘って配置されるモータ固定子と、
前記筐体内に位置し、前記筐体と相対的に回転可能に搭載される回転シャフトであり、前記筐体の前記第１長手方向端部の前記開口と連通する空洞を画定する回転シャフトと、
前記回転シャフトが軸周りに搭載されると共に、前記開口と前記空洞に挿通される固定軸と、
前記回転シャフトに固定され、前記モータ固定子と同軸上に配置されるモータ回転子と、
前記筐体と相対的に回転可能に前記固定軸周りに搭載され、前記筐体の前記第１長手方向端部から延出するブラケットと、
前記筐体内に位置し、前記回転シャフトと前記ブラケットとを前記固定軸の軸方向に離間して配置するように接続するギアを含む減速伝動システムと
を備える、発光回転型物体に用いるモータ。
【請求項２４】
第１電極および第２電極を有し、前記筐体の前記第１長手方向端部または前記第２長手方向端部に固定して搭載される電流ピックアップベースをさらに備える、請求項２３に記載のモータ。
【請求項２５】
請求項２３または２４に記載のモータを備える発光回転型物体。
【発明の詳細な説明】
【技術分野】
【０００１】
本願発明は概して回転型発光物体に関し、特に、回転型ランプなどの回転型発光物体に用いられる（「モータ」とも呼ばれる）回転型ランプホルダに関する。
【背景技術】
【０００２】
一般的に、従来技術における回転型ランプは、よりよい視覚効果およびディスプレイ効果を実現し、その利用の範囲を拡大出来るよう、回転型ランプカバーを備える。しかし、従来の回転型ランプは構造的に複雑である。ランプカバーが回転できるよう、ランプカバーを含むランプ全体が統合され閉ざされた（ｃｌｏｓｅｄ）タイプとして設計される必要がある。複雑な構造を有する、統合され閉ざされたタイプの回転型ランプはコストが高く、バルブおよびチューブなどの光源の交換を容易ではない。通常、光源の交換には修理の専門家による作業が求められる。一方、伝動機構の設計において、従来の回転型ランプでは当該伝動機構と、特定のランプの特定の構造とが単一の部材として統合されており、１つの種類のランプは１つの種類のランプカバーのみに適合可能であり、ランプの適合性および汎用性を望ましくないものとしていた。
【０００３】
一方、従来の回転型デバイスは別個のモータを必要とするだけではなく、モータの出力シャフト、および回転型物体の回転軸を互い違いにする必要がある。結果として、回転型デバイス全体が構造的に複雑であり、サイズが大きすぎる。
【発明の概要】
【発明が解決しようとする課題】
【０００４】
本願発明の目的は構造的にコンパクトな回転型ランプホルダを提供することである。当該回転型ランプホルダは、卓上ランプまたはペンダントランプなどの従来の標準化されたランプの構造設計を変形させることなく、標準化された構造体として、直接的にランプの元のランプホルダに置き換わることが出来、回転型ランプカバーを備えるランプへと当該ランプを変形させられる。
【課題を解決するための手段】
【０００５】
本願発明の第１の態様は、
開口を含む第１長手方向端部と、第２長手方向端部とを有する筐体と、
筐体の内周に亘って配置されるモータ固定子と、
筐体内に位置し、筐体と相対的に回転可能に搭載される回転シャフトであり、筐体の第１長手方向端部の開口と連通する空洞を画定する回転シャフトと、
回転シャフトに固定され、モータ固定子と同軸上に配置されるモータ回転子と、
筐体と相対的に回転可能に搭載され、筐体の第１長手方向端部から延出するランプカバーブラケットと、
筐体内に位置し、回転シャフトとランプカバーブラケットとに接続される減速伝動システムと
を含む回転型ランプホルダを提供する。
【０００６】
好ましくは、筐体の第２長手方向端部も開口を含み、回転シャフトの空洞は筐体の第２長手方向端部の開口とも連通する。この場合、回転型ランプホルダは、筐体に固定される、回転シャフトの空洞に挿通されるリード線ポストであり、筐体の第１長手方向端部の開口および第２長手方向端部の開口と連通するリード線チャンバーを画定するリード線ポストをさらに含み、回転シャフトはリード線ポスト周りを回転可能に搭載される。好ましくは、ランプカバーブラケットもリード線ポスト周りを回転可能に搭載される。リード線ポストは、筐体の第１長手方向端部の開口および第２長手方向端部の開口からそれぞれ延出する第１端部および第２端部を有する。回転型ランプホルダは、リード線ポストの第１端部または第２端部に搭載される光源受容ソケットをさらに含む。リード線ポストのリード線チャンバーが筐体の内部空間と連通するよう、リード線ポストに径方向貫通孔が設けられる。
【０００７】
減速伝動システムは、回転シャフトに固定される出力ギアと、ランプカバーブラケットに固定される被動ギアと、出力ギアおよび被動ギアと係合する中間減速ギア列とを有する。
【０００８】
代替的に、減速伝動システムは、回転シャフトに固定される出力ギアと、ランプカバーブラケットに固定される遊星ギアキャリアと、筐体の内壁に固定される遊星ギア列内部ギアと、遊星ギアキャリアに搭載され、出力ギアおよび遊星ギア列内部ギアと係合される遊星ギアとを有する。
【０００９】
ランプカバーを着脱可能に保持する締結手段がランプカバーブラケットに設けられる。
【００１０】
好ましくは、筐体およびリード線ポストの両方が円筒状である。
【００１１】
光源受容ソケットおよびランプカバーブラケットの少なくともいずれか一方が標準化された部品であり、従来の標準化されたランプが回転型ランプに非常に好都合に変形させられ、かつ、ランプカバーが好都合に交換可能であるのが有利である。
【００１２】
本願発明の好ましい実施形態において、回転型ランプホルダは第１電極および第２電極を有する、筐体の第１長手方向端部または第２長手方向端部に固定して搭載される電流ピックアップベースをさらに含む。この場合、回転型ランプホルダは通常、第１リード線と、第２リード線とをさらに含み、光源受容ソケットは、第１電極および第２電極を有し、第１リード線は、電流ピックアップベースの第１電極と、光源受容ソケットの第１電極とに接続され、第２リード線は、電流ピックアップベースの第２電極と、光源受容ソケットの第２電極とに接続される。第１リード線および第２リード線はリード線ポストの径方向貫通孔に挿通され、モータへと接続される。
【００１３】
電流ピックアップベースは、回転型ランプホルダ全体が、従来のランプで用いられる標準化されたスクリュー型ランプホルダまたはバヨネット（ｂａｙｏｎｅｔ）タイプのランプホルダに直接的に置き換わることが出来るような形状を有するのが好ましい。言い換えると、本願発明に係る回転型ランプホルダは、従来の標準化されたスクリュー型ランプホルダまたはバヨネットタイプのランプホルダと完全に互換性がある。これにより、技術専門家を要することなく容易に、従来の一般的なランプを回転型ランプとすることが出来る。
【００１４】
本願発明の第２の態様は、上記の回転型ランプホルダ、およびランプカバーブラケットに搭載されるランプカバーを有するペンダントランプ、卓上ランプ、または天井ランプなどの回転型ランプを提供する。
【００１５】
ランプカバーは任意の適した形状を有するように形成される。いくつかの実施形態において、ランプカバーは球形、または六面体の立体フォトフレーム形状に構成され、ランプ全体が、回転型発光球体モデルまたは六面体の立体フォトフレームを形成する。他の実施形態において、ランプカバーは広告用ランプケースなどとなるよう設計される。
【００１６】
よって本願発明の第３の態様は、上記の回転型ランプホルダと、ランプカバーブラケットに搭載される球体の形態のランプカバーとを含む回転型発光球体を提供する。
【００１７】
本願発明の第４の態様は、上記の回転型ランプホルダと、ランプカバーブラケットに搭載される六面体の立体フォトフレームの形態のランプカバーとを含む回転型発光六面体立体フォトフレームを提供する。
【００１８】
本願発明の第５の態様は、上記の回転型ランプホルダと、ランプカバーブラケットに搭載される広告用ランプケースの形態のランプカバーとを備える回転型広告ランプケースを提供する。
【００１９】
本願発明に係るモジュール式回転型ランプホルダは構造的によりコンパクトであり、サイズがより小さいので、発光回転型物体で用いるモータを構成する。
【００２０】
よって本願発明の第６の態様は、
開口を含む第１長手方向端部と、第２長手方向端部とを有する筐体と、
筐体の内周に亘って配置されるモータ固定子と、
筐体内に位置し、筐体と相対的に回転可能に搭載される回転シャフトであり、筐体の第１長手方向端部の開口と連通する空洞を画定する回転シャフトと、
回転シャフトに固定され、モータ固定子と同軸上に配置されるモータ回転子と、
筐体と相対的に回転可能に搭載され、筐体の第１長手方向端部から延出するブラケットと（ブラケットは発光回転型物体の回転可能部分を固定するのに用いられ、自身の回転に合わせて当該回転可能部分を回転させる）、
筐体内に位置し、回転シャフトとランプカバーブラケットとに接続される減速伝動システムと
を備える、発光回転型物体に用いるモータを提供する。
【００２１】
本願発明のモータの他の好ましい、または追加の態様については、本願発明の回転型ランプホルダの上記の好ましい、または追加の態様を参照されたい。
【００２２】
最後に、本願発明はさらに上記のモータを含む発光回転型物体を提供する。
【００２３】
本願発明に係るモジュール式回転型ランプホルダは、ランプホルダの固定、並びに光源およびランプカバーの搭載という点において、通常の（標準化された）ランプホルダと完全に同一であり得る。モジュール式回転型ランプホルダと通常のランプホルダとの間の完全な交換が実際の利用において成し得られ卓上ランプおよびペンダントランプなどの通常のランプの主要な構造を変形させることなく、非常に好都合に当該通常のランプを回転型ランプへと変形させられる。
【図面の簡単な説明】
【００２４】
【図１】図１は、本願発明の第１の実施形態に係る回転型ランプホルダの断面図である。
【図２】図２は、本願発明の第２の実施形態に係る回転型ランプホルダの断面図である。
【図３】図３は、リード線ポストの第１端部に光源受容ソケットが搭載される、図１の回転型ランプホルダの断面図である。
【図４】図４は、リード線ポストの第２端部に光源受容ソケットが搭載される、図１の回転型ランプホルダの断面図である。
【図５】図５は、本願発明の一実施形態に係るペンダントランプの断面図である。
【図６】図６は、本願発明の他の実施形態に係るペンダントランプの断面図である。
【図７】図７は、本願発明の一実施形態に係る卓上ランプの断面図である。
【図８】図８は、本願発明の他の実施形態に係る卓上ランプの断面図である。
【図９】図９は、本願発明の一実施形態に係る発光回転型球体の断面図である。
【図１０】図１０は、本願発明の他の実施形態に係る発光回転型球体の断面図である。
【図１１】図１１は、図１に示す回転型ランプホルダと同様であるが、筐体の第２長手方向端部に搭載される電流ピックアップベースを有する回転型ランプホルダを示す。
【図１２】図１２は、図２に示す回転型ランプホルダと同様であるが、筐体の第１長手方向端部に搭載される電流ピックアップベースを有する回転型ランプホルダを示す。
【図１３】図１３は、本願発明に係る電流ピックアップベースの断面図である。
【図１４】図１４は、リード線ポストの第１端部に光源受容ソケットが搭載される、図１１の回転型ランプホルダの断面図である。
【図１５】図１５は、図１１に示す回転型ランプホルダと同様であるが、筐体の第１長手方向端部に搭載された電流ピックアップベース、およびリード線ポストの第２端部に搭載された光源受容ソケットを有する回転型ランプホルダを示す。
【図１６】図１６は、図１５に示す回転型ランプホルダが搭載された、本願発明の一実施形態に係るペンダントランプの断面図である。
【図１７】図１７は、図１５に示す回転型ランプホルダが搭載された、本願発明の一実施形態に係る卓上ランプの断面図である。
【発明を実施するための形態】
【００２５】
図面を参照し、本願発明の例示的な実施形態を詳細に説明する。
【００２６】
図１において、本願発明の第１の実施形態に係る（単に「モータ」と呼ぶこともある）回転型ランプホルダは、略円筒状、または円筒状の筐体１を備える。筐体１は第１長手方向端部、およびその反対側の第２長手方向端部を有する。筐体１の第１長手方向端部は、カバープレート１１により閉じられている。第１長手方向端部および第２長手方向端部にはそれぞれ、略円筒状のリード線ポスト２が長手方向に挿通される中央開口が設けられる。
【００２７】
モータ固定子３が筐体１の内周に亘って配置される。（中空の）回転シャフト５が、ベアリング７によってリード線ポスト２周りを回転可能に搭載される。モータ回転子４が回転シャフト５に固定され、モータ固定子３と同軸上に配置される。リード線ポスト２が回転シャフト５の長手方向の空洞に挿通され、上方の開口を通り筐体１から延出する。リード線ポスト２により画定されるリード線チャンバーが筐体１の内部空間と連通するよう、リード線ポスト２に径方向貫通孔６がさらに設けられる。
【００２８】
ランプカバーブラケット１２がリード線ポスト２周りを回転可能に搭載され、筐体の第１長手方向端部から延出する。
【００２９】
出力ギア８が回転シャフト５に固定される。被動ギア１３がランプカバーブラケット１２に固定される。中間減速ギア列１０の２以上の段が、固定されたギア列シャフト９に搭載され、それぞれ出力ギア８および被動ギア１３と係合する。よって、高速で回転する回転シャフト５はその回転に合わせて、中間減速ギア列を介し、ランプカバーブラケット１２を低速（１分間あたりの回転数など）で回転させることが出来る。
【００３０】
図２は、本願発明の第２の実施形態に係る回転型ランプホルダを示す。図２に示す回転型ランプホルダは、図１に示す回転型ランプホルダと同様であるが、減速ギアシステムの構成が異なる。図２において、出力ギア８が回転シャフト５に固定される。遊星ギアキャリア１８がランプカバーブラケット１２に固定される。遊星ギア列内部ギア１６が筐体１の内部周壁に固定される。遊星ギア１７が遊星ギアキャリア１８に搭載され、出力ギア８と遊星ギア列内部ギア１６とに係合する。よって、出力ギア８により駆動される遊星ギア１７は自転し、かつその間、遊星ギア列内部ギア１６周りを周回し、これにより、遊星ギアキャリア１８、またそれに合わせてランプカバーブラケット１２を低速で回転させる。
【００３１】
図３および図４はそれぞれ、本願発明の第１の実施形態に係る光源受容ソケット１４が搭載された回転型ランプホルダを示す。図３において、光源受容ソケット１４がリード線ポスト２の第１端部（つまり、筐体の第１長手方向端部）に固定される、若しくは、着脱可能に搭載される。図４において、光源受容ソケット１４がリード線ポスト２の第２端部に固定され、若しくは着脱可能に搭載される。
【００３２】
図５は、図３に示す回転型ランプホルダ、ランプカバー２０、および光源１９（図５におけるバルブ）を備える、本願発明の一実施形態に係る回転型ペンダントランプを示す。ランプカバー２０は、押下ナット１５など任意の締結手段を介し、ランプカバーブラケット１２に着脱可能に搭載される。光源１９が光源受容ソケット１４に受容される。電源線２３は天井から吊り下がり、コネクタ２２を介し筐体１のリード線ポスト２に挿通され、その後、光源受容ソケット１４または光源１９へ接続され、貫通孔６を介しモータ固定子３へ接続される。
【００３３】
図６は、図４に示す回転型ランプホルダ、ランプカバー２０、および光源１９を備える、本願発明の好ましい実施形態に係る回転型ペンダントランプを示す。このような構造のペンダントランプを用いると、回転型ランプホルダ全体がランプカバー２０によって囲まれ、ペンダントランプは全体的により整い、よりコンパクトかつより美的な外観となる。
【００３４】
図７は、図３に示す回転型ランプホルダ、ランプカバー２０、光源１９、および筐体１を支持する卓上ランプベース２１を備える、本願発明の一実施形態に係る回転卓上ランプを示す。
【００３５】
図８は、図４に示す回転型ランプホルダ、ランプカバー２０、光源１９、および筐体１を支持する卓上ランプベース２１を備える、本願発明の好ましい実施形態に係る回転卓上ランプを示す。このような構造の回転卓上ランプも全体的に整った、コンパクトな外観となる。
【００３６】
図９は、図３の回転型ランプホルダ、球体の形態のランプカバー２０、光源１９、および筐体１を斜めに支持する卓上ランプベース２１を備える、本願発明の一実施形態に係る発光回転型球体を示す。
【００３７】
図１０は、図４に示す回転型ランプホルダ、球体の形態のランプカバー２０、光源１９、および筐体１を斜めに支持する卓上ランプベース２１を備える、本願発明の好ましい実施形態に係る発光回転型球体を示す。このような構造の発光回転型球体も全体的に整った、コンパクトな外観となる。
【００３８】
なお図８に示す実施形態において、ランプカバー２０を六面体の立体フォトフレーム形状に構成することも可能であり、これにより、卓上ランプ全体が、自転する六面体の立体フォトフレームとなる。また、ランプカバー２０は所望される形状、および／またはパターンを有する任意の広告用ランプケースの形態であってよい。
【００３９】
図１１において、電流ピックアップベース２４が筐体の第２長手方向端部に固定して搭載（接合など）される。電流ピックアップベース２４の（以下に詳細に説明する）２つの電源リード線が、リード線ポスト２のリード線チャンバーから筐体１の内部空間へと挿通される。電流ピックアップベース２４は、回転型ランプホルダ全体が、従来のランプで用いられる標準化されたスクリュー型ランプホルダまたはバヨネットタイプのランプホルダに直接的に置き換わることが出来るような（つまり、従来の光源電流ピックアップベースと互換性があるような）形状を有する。
【００４０】
図１３は本願発明に係る電流ピックアップベース２４の断面図である。図１３に示すように、電流ピックアップベース２４は第１電極２５および第２電極２６を有する。絶縁体２７が第１電極２５と第２電極２６との間に設けられる。絶縁接合フィラー３０により、第１電極２５が絶縁体２７に接合され、固定される。第１電源リード線２８が第１電極２５に接続され、第２電源リード線２９が第２電極２６に接続される。さらに、詳細には示されていないが、第１電源リード線２８および第２電源リード線２９は径方向貫通孔６に挿通され、モータに電力を供給する。
【００４１】
図１２に示す回転型ランプホルダは図２に示す回転型ランプホルダと同様であるが、電流ピックアップベース２４が筐体の第１長手方向端部に固定して搭載される。
【００４２】
図１４は、光源受容ソケット１４がリード線ポスト２の第１端部（つまり、筐体の第１長手方向端部）に搭載される、図１１の回転型ランプホルダの断面図である。
【００４３】
図１５に示す回転型ランプホルダは図１１に示す回転型ランプホルダと同様であるが、電流ピックアップベース２４が筐体の第１長手方向端部に搭載され、光源受容ソケット１４がリード線ポスト２の第２端部に搭載される。光源受容ソケット１４の内部輪郭は、市販されている汎用の標準化されたランプホルダ（図６に示す光源１９など）を受容するか、若しくは、本願発明の他の回転型ランプホルダを受容するよう電流ピックアップベース２４の外部輪郭に一致するよう設計されていてもよい（本願発明の他の回転型ランプホルダを受容する場合、複合的な回転効果が得られ、よりカラフルかつ美的な照明効果が得られる）。光源受容ソケット１４は、第１電源リード線２８を介して電流ピックアップベース２４の第１電極２５に接続される第１電極、および第２電源リード線２９を介して電流ピックアップベース２４の第２電極２６に接続される第２電極を有する。
【００４４】
図１６に示す回転型ペンダントランプは、図１５に示す回転型ランプホルダ、ランプカバー２０、および光源１９（図中ではバルブとして示される）を備える。ランプカバー２０は押下ナット１５などの任意の適した締結手段を介してランプカバーブラケット１２に着脱可能に搭載される。光源１９は光源受容ソケット１４内に受容される。電源線２３は天井から吊り下がり、コネクタ２２に挿通され、受容ソケット１４'へ接続される。本願発明に係る回転型ランプホルダの電流ピックアップベース２４は、受容ソケット１４'内にねじ接続される。このような構造のペンダントランプが用いられると、回転型ランプホルダ全体がランプカバー２０によって囲まれ、ペンダントランプは全体的により整った、よりコンパクトかつより美的な外観となる。
【００４５】
図１７に示す回転卓上ランプは、図１５に示す回転型ランプホルダ、ランプカバー２０、光源１９、および卓上ランプベース２１を備える。このような構造の回転卓上ランプも全体的に整った、コンパクトな外観となる。
【００４６】
本願発明に係る回転型ランプホルダは本質的に低速モータであるので、そのようなモジュール式回転型ランプホルダは構造的にサイズがより小さく、よりコンパクトである。さらに、電流ピックアップベース２４が設けられると、本願発明に係るモジュール式回転型ランプホルダはそのまま、通常の（回転しない）ランプに搭載されるランプホルダと汎用的に交換可能となる。単に、通常のランプに搭載されるランプホルダの代わりに本願発明に係るモジュール式回転型ランプホルダを用いることにより、従来の一般的なランプの性能を高めることが出来る。
【００４７】
当業者であれば、上記した実施形態は、本願発明を限定するのではなく、本願発明を例示し説明することのみを目的としていることを理解されるであろう。実際の適用においては（ペンダントランプなどの例において）、リード線ポスト２を省略することも可能であり、ランプカバーブラケット１２および中空回転シャフト５が筐体１と相対的に回転可能であればよい。さらに、本願発明において、減速伝動システムは図中に示したギアシステムに限定されず、当技術分野で一般的に用いられる滑車伝達システムなどの任意の適した減速伝動システムであってよい。なお、スクリュー型ランプホルダの形態である電流ピックアップベース２４を示したが、必要に応じて、バヨネットタイプのランプホルダの形態で構成してもよいことは明らかである。
【図１】
0005769157.tif 000002
【図２】
0005769157.tif 000003
【図３】
0005769157.tif 000004
【図４】
0005769157.tif 000005
【図５】
0005769157.tif 000006
【図６】
0005769157.tif 000007
【図７】
0005769157.tif 000008
【図８】
0005769157.tif 000009
【図９】
0005769157.tif 000010
【図１０】
0005769157.tif 000011
【図１１】
0005769157.tif 000012
【図１２】
0005769157.tif 000013
【図１３】
0005769157.tif 000014
【図１４】
0005769157.tif 000015
【図１５】
0005769157.tif 000016
【図１６】
0005769157.tif 000017
【図１７】
0005769157.tif 000018